(57)【要約】      （修正有）【課題】光不透過性を有する伝統工芸品などの表示物を１２分割された区画領域に設ける場合、他の区画領域に光を漏洩させないようにするとともに、その区画領域に立体的造形物を設ける場合に、その立体的造形物に立体感を持たせるようにした時計を提供する。【解決手段】長針と短針からなる針によって時刻を表示する時計１において、長針と短針を回転させる針回転部の外側に、境界壁４を介して展示領域部５を設ける。そして、その展示領域部５を時刻に対応して１２分割した区画領域５３を設け、その区画領域５３の側方から光源６を介して、伝統工芸品である表示物８に光を照射させる。そして、その光を、区画領域５３の両側に設けられた側壁５１を用いて隣接する区画領域５３に漏洩させないようにする。【選択図】図１
2018040734.tif 000002
【特許請求の範囲】
【請求項１】
時刻を表示する時計において、
分割された区画領域と、
当該区画領域の側方から光を照射させる光源と、
区画領域に照射された光を、区画領域以外の領域に漏洩さないようにする遮蔽手段と
を設けるようにしたことを特徴とする時計。
【請求項２】
前記区画領域の表面にハーフミラーを取り付けるようにした請求項１に記載の時計。
【請求項３】
長針と短針を回転中心に近い円形領域に設けるようにするとともに、前記区画領域を、境界壁を介して、その外側領域に設けるようにした請求項１又は請求項２に記載の時計。
【請求項４】
前記区画領域に、前記光源から遠ざかる側を上側へ向くように傾斜させて表示物を表示させるようにしたものである請求項１ないし請求項３のいずれか一項に記載の時計。
【発明の詳細な説明】
【技術分野】
【０００１】
本発明は、時刻を表示する時計に関するものであり、より詳しくは、分割された区画領域に光を照射させて区画領域に設けられた表示物の視認性やデザイン性を向上させるようにした時計に関するものである。
【背景技術】
【０００２】
一般に、時計は、長針と短針で時刻を指し示すように構成されているが、長針や短針で時刻を示すだけでなく、長針や短針の存在している区画領域を光らせて、視覚者に凡その時刻を知らせるようにした時計も提案されている。
【０００３】
例えば、下記の特許文献１には、ディスプレイなどに表示される時計であって、文字盤を構成するディスプレイ画面を時刻領域ごとに１２分割し、長針や短針の指し示している区画領域を光らせるようにした時計が提案されている。このような構成によれば、その光っている区画領域を見るだけで、凡その時刻を知らせることができるとともに、暗所などにおいてもその時刻を知らせることができるというメリットがある。
【０００４】
ところで、時計をモニュメントなどの大きな時計として使用する場合、その区画領域に表示物を展示させることで、時計を見る者に数多くの表示物を見せられるようにしたい場合がある。例えば、その土地の伝統工芸品を展示することで、その土地を訪れた訪問者にアピールしたい場合などが考えられる。
【先行技術文献】
【特許文献】
【０００５】
【特許文献１】特開平１１−２８２３３９号公報
【発明の概要】
【発明が解決しようとする課題】
【０００６】
しかしながら、展示したい表示物が、光を透過させない造形物で構成されていることも多い。このような表示物を区画領域に配置して表示させる際には、その表示物の表面や側面から光を照射させなければならない。
【０００７】
しかるに、このように表面や側面から光を照射させると、分割された区画領域の外側まで光が漏洩してしまうため、区画領域が漠然としたものになってしまい、区画領域の明暗が際立たない。一つ一つの表示物をはっきりと表示することができないので、通常の展示方法で展示する場合とあまり差がなく、印象に残りにくい。また、このような時計を室内空間の明るい場所などに設置する場合、照明灯などの外光が表側のガラス面を透過してすべての区画領域の表示物を照らしてしまうため、区画領域が不明確なものになってしまい、表示物を展示しても人目を惹くことができない。
【０００８】
さらには、このような表示物の中には陶磁器や金属工芸などのような立体的造形物も存在するが、このような立体的造形物に表面側から光を照射させると、立体感がなくなってしまい、デザイン性が損なわれてしまうといった問題もある。
【０００９】
そこで、本発明は上記課題を解決するために、光不透過性を有する表示物を区画領域に取り付ける場合、他の区画領域に光を漏洩させないように光を照射させるとともに、その区画領域に立体的造形物を設ける場合に、その立体的造形物の立体感を損なわないようにした時計を提供することを目的とする。
【課題を解決するための手段】
【００１０】
すなわち、本発明は上記課題を解決するために、時刻を表示する時計において、分割された区画領域と、当該区画領域の側方から光を照射させる光源と、区画領域に照射された光を、区画領域以外の領域に漏洩させないようにする遮蔽手段とを設けるようにしたものである。
【００１１】
このように構成すれば、分割された区画領域の側方から光を照射させた場合であっても、遮蔽手段によってその光を他の区画領域に漏洩させることがなくなり、その区画領域に設けられた伝統工芸物などの表示物のみに光を当てることができるようになる。
【００１２】
また、このような発明において、区画領域の表面にハーフミラーを取り付けるように構成する。
【００１３】
このように構成すれば、外側からの光がハーフミラーで外側に反射されるため、外側からの光を区画領域に入らせることがなくなり、他の表示物を隠すことができる。また、内側から照射された光については、ハーフミラーを介して外側に透過させることができるため、その区画領域の表示物のみを視認させることができるようになる。
【００１４】
さらに、長針と短針を回転中心に近い円形領域に設けるようにするとともに、前記区画領域を、境界壁を介して、その外側領域に設けるようにする。
【００１５】
このように構成すれば、細い光線で長針や短針を表示させるような場合において、境界壁を介して針回転部と区画領域を分けているため、針の光線と区画領域の光とが重なって針が消されてしまうようなことがなくなる。
【００１６】
また、このような区画領域に、光源から遠ざかる側を上側へ向くように傾斜させて表示物を配置させるようにする。
【００１７】
このように構成すれば、表示物を傾斜させて配置しているため、その表示物の表面全体に光を照射させることができるとともに、表示物が立体物である場合に、陰影を作ることで、より立体感を持たせることができるようになる。
【発明の効果】
【００１８】
本発明によれば、時刻を表示する時計において、分割された区画領域と、当該区画領域の側方から光を照射させる光源と、区画領域に照射された光を、区画領域以外の領域に漏洩さないようにする遮蔽手段とを設けるようにしたので、分割された区画領域の側方から光を照射させた場合であっても、遮蔽手段によってその光を他の区画領域に漏洩させることがなくなる。これにより、その区画領域に設けられた伝統工芸物などの表示物のみに光を当ててより印象的に表示物を見せることができるようになる。
【図面の簡単な説明】
【００１９】
【図１】本発明の一実施の形態を示す時計の分解斜視図
【図２】同形態におけるガラス層や時計本体を示した平面図
【図３】同形態における針回転部と区画領域の断面概略図
【図４】同形態における立体物の陰影を示す図
【図５】同形態における長針と短針を表示するとともに、針に対応する区画領域に光を照射させた状態図
【発明を実施するための最良の形態】
【００２０】
以下、本発明の一実施の形態について図面を参照しながら説明する。
【００２１】
この実施の形態における時計１は、建物の中や屋外施設などに設置される直径約１〜２メートルのモニュメントとして使用されるものであって、図５に示すように、長針３４ａや短針３４ｂを回転させて時刻を表示させる針回転部３と、図１などに示すように、その針回転部３の外側で伝統工芸品などの表示物８を展示させるようにした展示領域部５と、その展示領域部５の区分けされた区画領域５３毎に光を照射させる光源６とを備えるようにしたものである。そして、特徴的に、この区画領域５３に設けられた表示物８に側方から光を照射させるとともに、展示領域部５に側壁５１などの遮蔽手段を設けて区画領域５３を囲み、これによって、光源６からの光を他の区画領域５３に漏洩させないようにしたものである。以下、本発明の実施の形態について詳細に説明する。
【００２２】
まず、この時計本体２は、図２に示すように、円形状をなす外壁２１で囲まれるように設けられるものであって、中心部分に針回転部３を設けるとともに、その外側領域に展示領域部５を設けるようにしている。
【００２３】
この針回転部３は、境界壁４で囲まれる領域の内側に設けられており、その内側で長針３４ａと短針３４ｂを回転させることで時刻を表示できるようにしている。この長針３４ａや短針３４ｂを表示させる場合、種々の方法を用いることができるが、ここでは、図１や図２に示すように、細い線状の光線を放射状に照射させることで時刻を表示できるようにしている。具体的には、このような細い光線で時刻を表示させる際、まず、図１から図３に示すように、中心部分を窪ませた円錐状の金属板３１に複数の放射状の有底溝３２を設けるとともに、その有底溝３２の基端側の図示しないスリットの内側に、上下の光源３３を設けるようにする。そして、その光源３３から外側に向けて光を照射させることで、有底溝３２に沿った方向を光らせ、針として表示させるようにしている。この光線の長針３４ａと短針３４ｂを区別する場合、上下に設けられたＬＥＤを選択することで、長針３４ａと短針３４ｂを区別できるようにしており、例えば、上側のＬＥＤを光らせることで、遠くまで光を照射させて長針３４ａとして見せるようにし、また、下側のＬＥＤを光らせることで、近くに光を照射させて短針３４ｂとして見せるようにしている。ところで、このように放射状の光線で針を表示する場合、その光が区画領域５３に漏洩してしまう可能性がある。このため、その針回転部３の外側に境界壁４を設けることによって、その光を外側の展示領域部５まで漏洩させないようにしている。なお、ここでは、光線を用いて針を表示させるようにしているが、これ以外に、液晶パネルを用いて長針３４ａや短針３４ｂを表示させるようにしてもよい。あるいは、物理的に回転する長針３４ａや短針３４ｂを用いるようにしてもよい。
【００２４】
展示領域部５は、この境界壁４の外側と時計本体２の外壁２１の内側で囲まれる領域に設けられており、中心部分から放射状に分割された複数の区画領域５３を有するように構成されている。この分割された区画領域５３は、各時刻に対応して１２分割されており、隣接する区画領域５３との間に遮蔽手段を構成する側壁５１を設けることで、隣接する区画領域５３に光を漏洩させないようにしている。なお、ここでは区画領域５３を時刻に対応して１２分割させるようにしているが、分割数についてはこれに限定されるものではない。
【００２５】
この区画領域５３の領域内に光を照射させる場合、境界壁４に設けられた複数の光源６から光を照射させることで、その区画領域５３を光らせるようにしている。この光源６は、境界壁４の外周方向に沿って取り付けられた複数のＬＥＤなどで構成されており、その前方に設けられた図示しない拡散板によって光を拡散させた状態で、区画領域５３に光を照射させるようにしている。
【００２６】
また、この区画領域５３には、表示物８を展示するためのベース部５２が設けられる。このベース部５２は、図３に示すように、表示物８を傾斜させた状態で取り付けられるようにしたものであって、光源６側を低くするとともに、光源６から遠い側を高くすることによって、傾斜させられるようにしている。この表示物８としては、その区画領域５３に収納される扇形状をなすものであって、ここでは伝統工芸品などが用いられる。このような伝統工芸品としては、織物工芸や陶磁器、竹工芸、漆工芸、金属工芸などのような光不透過性を有する平面的なものや立体的なものなどが使用され、これを各区画領域５３にわたる統一的なデザインの一部を構成するように設けられる。
【００２７】
一方、これらの針回転部３や展示領域部５の表面側には、図３に示すように、下から順に、印刷層７１、ハーフミラー７２、ガラス層７３が設けられる。
【００２８】
この印刷層７１は、時計１の表面から視認されるデザインを形成するものであって、所定の光透過率を有するデザインを配するように形成される。そして、そのデザインによって、区画領域５３の側壁５１を隠すとともに、針回転部３の金属板３１なども隠せるようにしている。この印刷層７１の光透過率は、針回転部３の針の光を外側から視認させることができるような透過率を有するように設定されており、これによって、針回転部３の金属板３１や側壁５１などを隠せるようにしている。
【００２９】
また、ハーフミラー７２は、表面側からの外光（例えば、室内照明灯や太陽光など）を針回転部３や展示領域部５に入り込ませないようにしたものであって、フィルムの内側に金属蒸着された反射膜を形成して設けられる。そして、この反射膜との屈折率の相違によって、内側の光を外側に透過させるとともに、外側からの光を反射させて内側に入り込ませないようにしている。
【００３０】
このハーフミラー７２の表面に設けられるガラス層７３は、針回転部３や展示領域部５を覆うものであって、外壁２１で囲まれた円形領域を覆うことで内部を保護できるようにしている。
【００３１】
次にこのように構成された時計１を用いて時刻を表示する方法について説明する。
【００３２】
まず、長針３４ａや短針３４ｂを用いて時刻を表示させる場合、図５に示すように、時刻に対応した位置に長針３４ａと短針３４ｂを表示させるべく、中心部分の上下の光源３３から光を照射させ、スリットを介して有底溝３２に長針３４ａや短針３４ｂの光線を表示させる。そして、この表示された長針３４ａや短針３４ｂの光を、印刷層７１、ハーフミラー７２、ガラス層７３などを透過させて外側から視認させるようにする。
【００３３】
一方、その針回転部３の外側に設けられた展示領域部５では、時刻に対応した区画領域５３が照らされるので、時刻も把握しやすくなる。このとき、光源６から照射された光は、拡散板によって均一に拡散されて外側に向けて照射され、傾斜する表示物８を照らすようになる。このとき、光源６からハーフミラー７２側に向けて照射された光は、そのハーフミラー７２によって反射され、また、側壁５１に向けて照射された光は、その側壁５１によって反射されて、再び区画領域５３内の表示物８を照らすようになる。このとき、その表示物８として凹凸を有する立体的な表示物８を取り付けている場合、図４（ｂ）に示すように、その凹凸によって適度な陰影を作り出すことができ、表面から光を照射させた場合（図４（ａ）の場合）と比べて、表示物８に立体感を持たせることができる。そして、このように表示物８に照射された光を、ハーフミラー７２を介して外側に透過させ、外側から表示物８を視認させるようにする。
【００３４】
一方、室内照明などのように外側から照射される光については、ハーフミラー７２で外側に反射されるとともに、一部の透過した光については、印刷層７１で光が遮断される。また、印刷層７１の存在していない区画領域５３については、ハーフミラー７２によって外側から照射された光を反射させ、これによって、外側から区画領域５３を視認できないようになる。一方、時計本体２の内側で照射された長針３４ａや短針３４ｂ、あるいは、区画領域５３で照射された光は、ハーフミラー７２を介して外側に透過し、外側から長針３４ａや短針３４ｂ、区画領域５３の表示物８を視認させることができるようになる。このとき、区画領域５３で光源６から照射された光は、側壁５１によって隣接する区画領域５３に漏洩することがないため、その扇形状の区画領域５３のみを明確に表示させて、表示物８を視認させるとともに、時刻の領域を明確に表示させることができるようになる。
【００３５】
このように上記実施の形態によれば、長針３４ａと短針３４ｂからなる針によって時刻を表示する時計１において、前記針（３４ａ、３４ｂ）の回転中心から放射状に分割された区画領域５３と、当該区画領域５３の側方から光を照射させる光源６と、前記長針３４ａと短針３４ｂの存在する区画領域５３に照射された光を、区画領域５３以外の領域に漏らさないようにする側壁５１（遮蔽手段）を設けるようにしたので、分割された区画領域５３の側方から光を照射させた場合であっても、その光を他の区画領域５３に漏洩させることがなくなる。これによって、その区画領域５３に設けられた伝統工芸物などの表示物８のみに光を当てて表示することができるとともに、時刻を明確に表示することができるようになる。
【００３６】
なお、本発明は上記実施の形態に限定されることなく、種々の態様で実施することができる。
【００３７】
例えば、上記実施の形態によれば、表示物８として伝統工芸品などを例に挙げて説明したが、これに限定されるものではなく、美術品、アニメーション、文字、写真などを表示させるようにしてもよい。
【００３８】
また、上記実施の形態では、表示物８を傾斜させて取り付けるようにしたが、表示物８をガラス層７３と平行に設けるとともに、ＬＥＤなどの光源６からの光を斜め方向から照射させるようにしてもよい。
【００３９】
さらに、上記実施の形態では、表示物８を傾斜させる場合、中心部分を低くするようにして配置するようにしたが、これとは逆に、中心部分が高くなるように傾斜させて配置してもよい。この場合、光源６は外壁２１に設けられるようにする。
【００４０】
また、上記実施の形態では、区画領域５３の光源６から均一に光を照射させるようにしたが、外周方向に沿って設けられた複数の光源６のうち、針の方向に対応した位置の光源６から強い光を照射させて、区画領域５３内においても針が存在するように見せるようにしてもよい。
【００４１】
また、上記実施の形態では、長針３４ａや短針３４ｂの指し示す区画領域５３のみに光を照射させるようにしたが、これ以外の区画領域５３については、内側から薄く光を照射させるとともに、針の指し示す区画領域５３を強い光を照射させるようにしてもよい。あるいは、所定時間毎に全ての区画領域５３を同時に光らせるようにして、すべての表示物８を同時に視認させるようにしてもよい。
【符号の説明】
【００４２】
１・・・時計
２・・・時計本体
２１・・・外壁
３・・・針回転部
３１・・・金属板
３２・・・有底溝
３３・・・光源
３４・・・針（３４ａ  長針、３４ｂ  短針）
４・・・境界壁（遮蔽手段）
５・・・展示領域部
５１・・・側壁（遮蔽手段）
５２・・・ベース部
６・・・光源
７１・・・ハーフミラー
８・・・表示物
【図１】
2018040734.tif 000003
【図２】
2018040734.tif 000004
【図３】
2018040734.tif 000005
【図４】
2018040734.tif 000006
【図５】
2018040734.tif 000007